(57)【特許請求の範囲】
【請求項１】
映像を結像する複数のスクリーンを縦横における少なくとも縦方向に配列し、大画面を構成する投写型映像表示装置であって、
各前記スクリーンが取り付けられ、前記縦方向に配列された複数の筐体と、
各前記筐体内に収納された、各前記スクリーンに映像を投写する投写ユニットとを備え、
各前記筐体は、前記投写ユニットを左右に挟んで前記縦方向に延在し、複数の前記筐体に渡って貫通して形成された、第１、第２ダクトを備え、
各前記投写ユニットは、前記第１ダクトに開口されたユニット吸気口と、前記第２ダクトに開口されたユニット排気口とを備え、
前記ユニット吸気口及び前記ユニット排気口を介して、前記第１ダクトから前記投写ユニットを通り、前記第２ダクトに至る通風経路が形成され、
前記第１ダクト内及び前記第２ダクト内にそれぞれ形成された、整流部材をさらに備え、
前記整流部材が、前記縦方向における下向きの通風を遮断し、その逆の上向きの通風を開放することを特徴とする、
投写型映像表示装置。
【請求項２】
前記整流部材が、前記第１ダクト内においては各前記ユニット吸気口の開口位置より上方、前記第２ダクト内においては各前記ユニット排気口の開口位置より下方にそれぞれ形成されることを特徴とする、
請求項１に記載の投写型映像表示装置。
【請求項３】
各前記投写ユニットは、前記ユニット吸気口から前記ユニット排気口へ、前記投写ユニット内を通風させる、排気ファンをさらに備え、
前記ユニット吸気口と前記ユニット排気口とを結ぶ経路が、前記第１、第２ダクトの延在方向と直交する方向に形成されることを特徴とする、
請求項１又は請求項２に記載の投写型映像表示装置。
【請求項４】
各前記投写ユニットが、映像を投写する投写レンズを中心として、前後左右対称な寸法に設定され、
前記ユニット吸気口と前記ユニット排気口とが、前記投写レンズを中心として対称な位置及び寸法に設定されることを特徴とする、
請求項１から請求項３のうちのいずれか１項に記載の投写型映像表示装置。
【発明の詳細な説明】
【技術分野】
【０００１】
本発明は投写型映像表示装置に関し、特に、複数個の投写型映像表示装置を組み合わせて大画面を構成する投写型映像表示装置に関するものである。
【背景技術】
【０００２】
大画面の投写型映像表示装置を構成するための技術として、従来より、投写ユニットからスクリーンに映像を映し出す投写型映像表示装置を複数個配列した、ディスプレイウォールが知られている。
【０００３】
ここで、例えば特許文献２に示されるように、ディスプレイウォールは、映像を結像表示させるスクリーンのみが壁面から露出し、その他の部分は壁内に埋め込まれるように設置される構造を採るので、半ば密閉された状態で動作することになる。
【０００４】
そして、個々の投写型映像表示装置は、例えば特許文献１に示されるように、筐体内部の空冷のためにファンを設け、外部に熱を排出する構成を有するが、熱はその半密閉状態の空間に排出されることになる。
【０００５】
通常は、ディスプレイウォールの背面側に、メンテナンスのためにスペースを設けることが多いが、スペースがあっても熱を効率的に排気する方法が十分でない場合が多い。また、メンテンナンスをスクリーン側から行う映像表示装置の場合には、背面側のスペースが限られ、効率的な排熱構造が確保できない場合がある。
【０００６】
これらの場合には、個々の投写型映像表示装置から排出される熱が壁内の半密閉空間を循環してしまうことで、熱が籠もり、個々の投写型映像表示装置が有する冷却機構では十分に冷却できないという状況が発生する。
【０００７】
この改善策として、特許文献２のように、個々の装置の排気を集約して一箇所から排出する方法が考えられている。
【先行技術文献】
【特許文献】
【０００８】
【特許文献１】特開２００１−３４３７０８号公報
【特許文献２】特開２０１０−１１７５７３号公報
【発明の概要】
【発明が解決しようとする課題】
【０００９】
しかし、上記のような排出方法を用いる場合にも、個々の装置の吸排気が十分に制御できていないため、排気を制御するための追加部材を設ける必要があった。
【００１０】
本発明は、上記のような問題点を解決するためになされたものであり、複数個の投写型映像表示装置を組み合わせて大画面を構成する投写型映像表示装置において、効率の良い冷却機構を備えた投写型映像表示装置を提供することを目的とするものである。
【課題を解決するための手段】
【００１１】
本発明は、映像を結像する複数のスクリーンを縦横における少なくとも縦方向に配列し、大画面を構成する第１の投写型映像表示装置であって、各前記スクリーンが取り付けられ、前記縦方向に配列された複数の筐体と、各前記筐体内に収納された、各前記スクリーンに映像を投写する投写ユニットとを備え、各前記筐体は、前記投写ユニットを左右に挟んで前記縦方向に延在し、複数の前記筐体に渡って貫通して形成された、第１、第２ダクトを備え、各前記投写ユニットは、前記第１ダクトに開口されたユニット吸気口と、前記第２ダクトに開口されたユニット排気口とを備え、前記ユニット吸気口及び前記ユニット排気口を介して、前記第１ダクトから前記投写ユニットを通り、前記第２ダクトに至る通風経路が形成され、前記第１ダクト内及び前記第２ダクト内にそれぞれ形成された、整流部材をさらに備え、前記整流部材が、前記縦方向における下向きの通風を遮断し、その逆の上向きの通風を開放することを特徴とする。
【発明の効果】
【００１３】
本発明によれば、映像を結像する複数のスクリーンを縦横における少なくとも縦方向に配列し、大画面を構成する第１の投写型映像表示装置であって、各前記スクリーンが取り付けられ、前記縦方向に配列された複数の筐体と、各前記筐体内に収納された、各前記スクリーンに映像を投写する投写ユニットとを備え、各前記筐体は、前記投写ユニットを左右に挟んで前記縦方向に延在し、複数の前記筐体に渡って貫通して形成された、第１、第２ダクトを備え、各前記投写ユニットは、前記第１ダクトに開口されたユニット吸気口と、前記第２ダクトに開口されたユニット排気口とを備え、前記ユニット吸気口及び前記ユニット排気口を介して、前記第１ダクトから前記投写ユニットを通り、前記第２ダクトに至る通風経路が形成され、前記第１ダクト内及び前記第２ダクト内にそれぞれ形成された、整流部材をさらに備え、前記整流部材が、前記縦方向における下向きの通風を遮断し、その逆の上向きの通風を開放することにより、下向きの通風を抑制でき、効率的な冷却機構を実現することが可能となる。
【図面の簡単な説明】
【００１５】
【図１】実施の形態１にかかる投写型映像表示装置の外観を示す斜視図である。
【図２】実施の形態１にかかるディスプレイウォールの外観を示す斜視図である。
【図３】実施の形態１にかかる、背面保守タイプの投写型映像表示装置の外観を示す斜視図である。
【図４】実施の形態１にかかるダクトのフィルターの外観を示す斜視図である。
【図５】実施の形態１にかかるフィルターの構造を示す断面図である。
【図６】実施の形態１にかかる、背面保守タイプの投写型映像表示装置を背面から見た平面図である。
【図７】実施の形態１にかかる、背面保守タイプのディスプレイウォールを背面から見た平面図である。
【図８】実施の形態２にかかる、前面保守タイプの投写型映像表示装置の外観を示す斜視図である。
【図９】実施の形態２にかかる、前面保守タイプの投写型映像表示装置を背面から見た平面図である。
【図１０】実施の形態２にかかる、前面保守タイプのディスプレイウォールを背面から見た平面図である。
【図１１】実施の形態２にかかる、背面保守タイプの小規模ディスプレイウォールを背面から見た平面図である。
【発明を実施するための形態】
【００１６】
＜Ａ．実施の形態１＞
＜Ａ−１．構成＞
図１は、投写型映像表示装置１００の外観を示す斜視図である。図１に示すように、投写型映像表示装置１００は、映像を投写する投写ユニット３と、映像を結像する透過型のスクリーン１と、スクリーン１を固定し、投写ユニット３を内蔵して外光を遮光する筐体２とを備えている。
【００１７】
筐体２は、他の投写型映像表示装置１００を積み重ねることができるように強固に構成されている。投写ユニット３は、映像を映し出すための光源や電気回路などの熱源を有し、また適度な冷却が必要となる。
【００１８】
図２は、本発明にかかる投写型映像表示装置１００の実施形態である、ディスプレイウォール９００の外観を示す斜視図である。図２に示すディスプレイウォール９００は、投写型映像表示装置１００を例えば縦横に３台ずつ計９台配列した構成を採り、吸気口１０１を有する架台４上に積み上げられている。
【００１９】
そして、吸気口１０１に対して、ディスプレイウォール９００の上部には排気口１０２が設けられ、吸気口１０１及び排気口１０２に対応する開口部を有する外郭壁３００に、スクリーン１のみが露出するようにはめ込まれている。
【００２０】
このためディスプレイウォール９００は、吸気口１０１から空気２０２を吸気し、排気口１０２からディスプレイウォール９００内の熱を吸収した空気２０３を放出することができる。
【００２１】
図３は、図１に示す投写型映像表示装置を背面側から見た斜視図である。この図３では特に、投写型映像表示装置が背面側から保守作業を行う背面側保守タイプである場合の構成を示しており、この投写型映像表示装置１００Ａと呼称する。
【００２２】
図３において、投写ユニット３ａは、吸気２００を吸い込むユニット吸気口６と、投写ユニット３ａ内の熱源を冷却した排気２０１を排出するユニット排気口７と、ユニット排気口７に直結し、ユニット吸気口６からユニット排気口７へ、投写ユニット３ａ内を通風させる排気ファン９とを有している。
【００２３】
投写ユニット３ａは、投写レンズ６０を中心として１８０度面内回転させた状態で取付け可能となるように、投写レンズ６０を中心とした前後左右対称な寸法とすることができる。この場合、ユニット吸気口６とユニット排気口７とが、対称な配置、寸法で構成される。このように形成すれば、投写ユニットの組み込みの汎用性が高まる。なお、説明の都合上、実施の形態１においては、背面に向かって左側にユニット吸気口６、右側にユニット排気口７が位置するように取り付けられた場合を説明する。また、このような対称性を有する寸法にすることは、本発明の必須の要件ではない。
【００２４】
投写型映像表示装置１００Ａを構成する筐体２内部には、背面側において、投写ユニット３ａを挟む左右の側面に沿って上下方向（縦方向）に延在する第１ダクト、第２ダクトとしてのダクト８ａ、ダクト８ｂが備えられている。なお、第１ダクトは吸気ダクトであり、第２ダクトは排気ダクトであるが、吸気ダクト、排気ダクトの配置位置は交換可能であるので、必ずしも順にダクト８ａ、ダクト８ｂに対応する必要はない。
【００２５】
ダクト８ａは、筐体２の左側の上下面を貫通する壁面の部品群と、投写ユニット３ａの側面２０とで筒型に構成されることで、空気の通風経路（風路）として機能する。ダクト８ａは、複数の筐体２に渡って貫通して形成される。
【００２６】
同様にダクト８ｂは、筐体２の右側の上下面を貫通する壁面の部品群と、投写ユニット３ａの側面２１とで筒型に構成されることで、空気の通風経路（風路）として機能する。ダクト８ｂは、複数の筐体２に渡って貫通して形成される。
【００２７】
投写ユニット３ａは、左側のダクト８ａと右側のダクト８ｂとの間の領域に収納されることで、ダクト８ａとダクト８ｂとに対面することになる。したがってこの場合、吸気２００がダクト８ａから投写ユニット３ａに供給され、ダクト８ｂへ投写ユニット３ａからの排気２０１が排出される。ユニット吸気口６及びユニット排気口７は、それぞれダクト８ａ及びダクト８ｂに開口されているため、吸気２００の供給はユニット吸気口６を介してなされ、排気２０１の排出はユニット排気口７を介してなされる。
【００２８】
ダクト８ａ、ダクト８ｂの延在方向である上下方向に対し、各投写ユニット３ａ内のユニット吸気口６とユニット排気口７とを結ぶ経路は左右方向となり、互いに直交する方向となっている。このように通風経路を形成することによって、吸気する空気を並列に各投写ユニット３ａに供給し、複数の投写ユニット３ａ全体として、効率的に冷却することができる。ただし、必ずしもこのような通風経路を形成する必要はなく、投写ユニット３ａを搭載した各筐体２に対し吸気を供給できる構成であればよい。
【００２９】
ここで、ダクト８ａの上方開口部及びダクト８ｂの下方開口部には、図５に示す逆流できない整流部材としてのフィルター１２ａ、フィルター１２ｂが設けられ、空気が必ず上方に流れるように構成されている。これらのフィルター１２ａ、フィルター１２ｂは、ダクト８ａ内及びダクト８ｂ内であればどの位置に配置されてもよいが、フィルター１２ａはダクト８ａの上方開口部に、フィルター１２ｂはダクト８ｂの下方開口部にそれぞれ配置することが望ましい。下方から空気が流入し、加熱された排気は上方に流出するように空気を誘導することができる。
【００３０】
図４に示すフィルターは、例えば丸穴の開いた平板３０と軽量なバルブ３１とで構成されている。さらに図５の断面図に示すように、通常時はバルブ３１の自重で平板３０の丸穴を塞いでいるが（図５（ａ））、下方からの静圧がかかった時は、バルブ３１が持ち上がり空気が流れる仕組みになっている（図５（ｂ））。よって、下方からの空気を通過させ、上方からの空気を遮断することができる。
【００３１】
＜Ａ−２．動作＞
図６は、投写ユニット３ａを組み込んだ背面保守タイプの投写型映像表示装置１００Ａを背面側から見た平面図を示している。
【００３２】
投写ユニット３ａの排気ファン９の回転で、ダクト８ａから投写ユニット３ａのユニット吸気口６を通り吸気２００が導かれる。吸気２００は投写ユニット３ａに導かれ、投写ユニット３ａ内で加熱され（すなわち吸熱し）、排気ファン９により、ユニット排気口７を通ってダクト８ｂへ排気２０１として排出される。その後、ダクト８ｂを通って上方開口部に導かれる。なお、ダクト８ａの上方開口部はフィルター１２ａにより覆われているので、吸気２００は上方にのみ導かれ、排気２０１が下方に通過することはできない。また、ダクト８ｂの下方開口部はフィルター１２ｂにより覆われているので、排気２０１は上方にのみ導かれ、下方に通過することはできない。
【００３３】
投写ユニット３ａを筐体２に組み込んだ投写型映像表示装置１００Ａは、例えば縦横９台組み合わせることで、図２に示されるディスプレイウォール９００を形成する。ディスプレイウォール９００の背面図を図７に示す。なお、便宜上筐体２の内部構造が判るように、透視図として記載している。
【００３４】
吸気側となるダクト８ａは、架台４の開口（図示せず）から吸気される空気２０２を、吸気２００として各投写ユニット３ａに導く。
【００３５】
そして、吸気２００は各投写ユニット３ａを通った後、排気２０１として排出され、ダクト８ｂを通って各筐体２の上方開口部に導かれる。さらに、最上段に配置された筐体２のダクト８ｂの上方開口部から、空気２０３として外部に放出される。
【００３６】
このとき、排気２０１はフィルター１２ｂによって架台４への流入が抑制されるため、空気２０２が排気２０１によって加熱されることが防止される。また、空気２０３はフィルター１２ａによってダクト８ａへの流入が抑制されるため、吸気２００が空気２０３によって加熱されることが防止される。
【００３７】
さらに、フィルター１２ａ、フィルター１２ｂは、下方からの通気を可能とするため、複数の筐体２が配列されてなるダクト８ａ、ダクト８ｂにおける吸気、排気の効率を高めることができる。
【００３８】
なお、筐体２の縦の列のそれぞれは独立した吸排気システムを構成することができ、架台４から流入する空気２０２も、各列独立に供給される構成とすることができる。
【００３９】
＜Ａ−３．効果＞
本発明にかかる実施の形態１によれば、映像を結像する複数のスクリーン１を縦横における少なくとも縦方向に配列し、大画面を構成する投写型映像表示装置であって、各スクリーン１が取り付けられ、縦方向に配列された複数の筐体２と、各筐体２内に収納された、各スクリーン１に映像を投写する投写ユニット３ａとを備え、各筐体２は、投写ユニット３ａを左右に挟んで縦方向に延在し、複数の筐体２に渡って貫通して形成された、第１、第２ダクトとしてのダクト８ａ、ダクト８ｂを備え、各投写ユニット３ａは、ダクト８ａに開口されたユニット吸気口６と、ダクト８ｂに開口されたユニット排気口７とを備え、ユニット吸気口６及びユニット排気口７を介して、ダクト８ａから投写ユニット３ａを通り、ダクト８ｂに至る通風経路が形成され、ダクト８ａ内及びダクト８ｂ内にそれぞれ形成された、整流部材としてのフィルター１２ａ、フィルター１２ｂをさらに備え、フィルター１２ａ、フィルター１２ｂが、縦方向における下向きの通風を遮断し、その逆の上向きの通風を開放することで、下向きの通風を抑制でき、効率的な冷却機構を実現することができる。冷却機構によって投写ユニット３ａを効率的に冷却することが可能となる。
【００４０】
フィルター１２ｂによって排気２０１の架台４への流入が抑制されるため、空気２０２が排気２０１によって加熱されることが防止される。また、フィルター１２ａによって空気２０３のダクト８ａへの流入が抑制されるため、吸気２００が空気２０３によって加熱されることが防止される。よって、投写ユニット３ａを効率的に冷却することが可能となる。
【００４１】
また、半密閉状態で設置されるディスプレイウォール９００内に熱が籠もることが防止され、熱による品質低下を防止できる。
【００４２】
また、半密閉空間にエアコンなどの空調機を設ける必要もないので、コストの増大も防止できる。
【００４３】
また、本発明にかかる実施の形態１によれば、投写型映像表示装置において、整流部材としてのフィルター１２ａ、フィルター１２ｂが、第１ダクトとしてのダクト８ａ内においては各ユニット吸気口６の開口位置より上方、第２ダクトとしてのダクト８ｂ内においては各ユニット排気口７の開口位置より下方にそれぞれ形成されることで、各ユニット吸気口６の上方から、既に排気した空気が混入することを抑制でき、また、各ユニット排気口７の下方へ、排気した空気が混入することを抑制できる。よって、投写ユニット３ａを効率的に冷却することが可能となる。
【００４４】
また、本発明にかかる実施の形態１によれば、投写型映像表示装置において、各投写ユニット３ａは、ユニット吸気口６からユニット排気口７へ、投写ユニット３ａ内を通風させる、排気ファン９をさらに備え、ユニット吸気口６とユニット排気口７とを結ぶ経路が、第１ダクトとしてのダクト８ａ、第２ダクトとしてのダクト８ｂの延在方向と直交する方向に形成されることで、複数配列した筐体２内の投写ユニット３ａに対し、並列に空気を供給し、全体を効率的に冷却することが可能となる。
【００４５】
また、投写ユニット３ａで加熱されていない空気を排気ファン９に流すことで、排気ファン９の性能低下を抑えることができる。
【００４６】
また、本発明にかかる実施の形態１によれば、投写型映像表示装置において、各投写ユニット３ａが、映像を投写する投写レンズ６０を中心として、前後左右対称な寸法に設定され、ユニット吸気口６とユニット排気口７とが、投写レンズ６０を中心として対称な位置及び寸法に設定されることで、投写ユニットを１８０度回転して筐体２に搭載することも可能となり、投写ユニットの組み込みの汎用性が高まる。
【００４７】
＜Ｂ．実施の形態２＞
＜Ｂ−１．構成＞
図８は、投写型映像表示装置１００Ｂを背面側から見た斜視図である。図８では特に、投写型映像表示装置１００Ｂがスクリーン側から保守作業を行う前面側保守タイプである場合の構成を示している。前面側保守タイプでディスプレイウォールを構成した場合には、背面の保守スペースを必要としない。
【００４８】
スクリーンには、前面側へ開放するための可動機構５０を有している。その他の構成は図３に示した背面側保守タイプと同様であるので、同一の構成については同一の符号を付し、重複する説明は省略する。
【００４９】
ただし実施の形態２においては、対称な形状を有する投写ユニット３ｂを、背面に向かって右側にユニット吸気口６、左側にユニット排気口７が位置するように取り付けている。当該方向に配置することは、実施の形態１の、背面側保守タイプであっても可能であり、逆に、実施の形態２のスクリーン側保守タイプで、実施の形態１の投写ユニット３ａの方向に配置することも可能である。
【００５０】
投写ユニット３ｂがダクト８ａとダクト８ｂとの間の領域に収納されることで、ユニット排気口７、ユニット吸気口６が、ダクト８ａ、ダクト８ｂとそれぞれ対面することになる。したがって、吸気２００がダクト８ｂから供給され、ダクト８ａへ排気２０１が排気されることになる。
【００５１】
なお、投写型映像表示装置１００Ｂにおいては、フィルター１２ａはダクト８ａの下方開口部に、フィルター１２ｂはダクト８ｂの上方開口部に配置され、それぞれ下方に空気が流れない構成となっている。
【００５２】
投写ユニット３ｂを筐体２に組み込んだ投写型映像表示装置１００Ｂは、例えば縦横に計９台組み合わせることで、図２に示されるようなディスプレイウォールを形成することができる。
【００５３】
＜Ｂ−２．動作＞
図９は、投写ユニット３ｂを組み込んだ前面側保守タイプの投写型映像表示装置１００Ｂを背面側から見た平面図示している。
【００５４】
また、図９においては、ダクト８ｂの上方開口部をフィルター１２ｂで、ダクト８ａの下方開口部をフィルター１２ａでそれぞれ覆っており、吸気２００、排気２０１は上方にのみ導かれるようになる。
【００５５】
このような構成の投写型映像表示装置１００Ｂを、例えば縦横に３台ずつ計９台配列してディスプレイウォール９００Ｂを構成した場合の背面図を図１０に示す。なお、便宜上筐体２の内部構造が判るように、透視図として記載している。その他、図６と同一の構成には同一の符号を付し、重複する説明は省略する。
【００５６】
図１０に示すように、投写ユニット３ｂの排気ファン９の回転で、ダクト８ｂから投写ユニット３ｂのユニット吸気口６を通り吸気２００が導かれる。吸気２００は投写ユニット３ｂに導かれ、投写ユニット３ｂ内で加熱され（すなわち吸熱し）、排気ファン９により、ユニット排気口７を通ってダクト８ａへ排気２０１として排出される。その後、ダクト８ａを通って上方開口部に導かれる。
【００５７】
このとき、排気２０１はフィルター１２ａによって架台４への流入が抑制されるため、空気２０２が排気２０１によって加熱されることが防止される。また、空気２０３はフィルター１２ｂによってダクト８ｂへの流入が抑制されるため、吸気２００が空気２０３によって加熱されることが防止される。
【００５８】
このように、前面側保守タイプのディスプレイウォール９００Ｂの背面にスペースのない条件においても、本発明によれば十分な冷却効果を得られることが分かる。
【００５９】
なお、筐体２の縦の列のそれぞれは独立した吸排気システムを構成することができ、架台４からの空気２０２も、各列独立に供給される構成とすることができる。
【００６０】
なお、以上説明した投写型映像表示装置１００Ａ、投写型映像表示装置１００Ｂでは、投写ユニット３ａ、投写ユニット３ｂにおいて、排気口の側にファンを設けて排気ファン９とする構成を示したが、ユニット吸気口６の側にファンを設けて吸気ファンとしても良い。
【００６１】
また、図１１に示すように、例えば縦方向の筐体２の数が少ない場合には、ダクトの縦方向の長さが短くなるため、排気ファン９の空気の流れを上方向に強制するようなガイド部材としてのガイド１３を、ダクト８ｂ内の排気ファン９の後段、すなわちユニット排気口７の開口位置に設けることで、フィルター１２ａ、フィルター１２ｂを設けた場合と同様の効果を発揮することができる。このようにすることで、フィルターを省略し部品構成を少なくすることもできる。なお、図１１においては、実施の形態１で示した投写ユニット３ａを用いて構成している。
【００６２】
＜Ｂ−３．効果＞
本発明にかかる実施の形態２によれば、映像を結像する複数のスクリーン１を縦横における少なくとも縦方向に配列し、大画面を構成する投写型映像表示装置であって、各スクリーン１に取り付けられ、縦方向に配列された複数の筐体２と、各筐体２内に収納された、各スクリーン１に映像を投写する投写ユニット３ａとを備え、各筐体２は、投写ユニット３ａを左右に挟んで縦方向に延在し、複数の筐体２に渡って貫通して形成された、第１、第２ダクトとしてのダクト８ａ、ダクト８ｂを備え、各投写ユニット３ａは、ダクト８ａに開口されたユニット吸気口６と、ダクト８ｂに開口されたユニット排気口７とを備え、ユニット吸気口６及びユニット排気口７を介して、ダクト８ａから投写ユニット３ａを通り、ダクト８ｂに至る通風経路が形成され、ダクト８ｂにおいて、ユニット排気口７の開口位置に形成された、ガイド部材としてのガイド１３をさらに備え、ガイド１３が、縦方向における上向きの通風を誘導することで、下向きの通風を抑制でき、効率的な冷却機構を実現することが可能となる。また、フィルターを省略し部品構成を少なくすることができる。
【符号の説明】
【００６３】
１  スクリーン、２  筐体、３，３ａ，３ｂ  投写ユニット、４  架台、６  ユニット吸気口、７  ユニット排気口、８ａ，８ｂ  ダクト、９  排気ファン、１２ａ，１２ｂ  フィルター、１３  ガイド、２０，２１  側面、３０  平板、３１  バルブ、５０  可動機構、６０  投写レンズ、１００，１００Ａ，１００Ｂ  投写型映像表示装置、１０１  吸気口、１０２  排気口、２００  吸気、２０１  排気、２０２，２０３  空気、３００  外郭壁、９００，９００Ｂ  ディスプレイウォール。
【図１】
0005660944.tif 000002
【図２】
0005660944.tif 000003
【図３】
0005660944.tif 000004
【図４】
0005660944.tif 000005
【図５】
0005660944.tif 000006
【図６】
0005660944.tif 000007
【図７】
0005660944.tif 000008
【図８】
0005660944.tif 000009
【図９】
0005660944.tif 000010
【図１０】
0005660944.tif 000011
【図１１】
0005660944.tif 000012